【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
ユーザラベルデータの漏洩チャネルを検出するためのラベルデータ漏洩チャネル検出方法であって、
ユーザの正常なラベルに基づいて前記ユーザの検出ラベルを追加することと、
チャネルインデックスにおいて、前記検出ラベルを、チャネルと、前記ユーザに関連付けられたユーザＩＤとに関連付けることと、
前記検出ラベルに起因するプッシュ情報を識別するために、前記ユーザによって受信されたプッシュ情報をモニタすることと、
前記検出ラベルに起因するプッシュ情報の識別に応答して、前記チャネルインデックスに従って、前記プッシュ情報が、前記検出ラベルとの関連性を有するチャネルからのものかどうかを検出することと、
前記プッシュ情報が前記検出ラベルとの関連性を有する前記チャネルからのものであることに応答して、前記検出ラベルとの前記関連性を有する前記チャネルが適法であることを示し、前記関連性を有する前記チャネルと異なる他のチャネルを、漏洩疑いチャネルとして識別することと
を含む、方法。
【請求項２】
前記検出ラベルに起因するプッシュ情報を識別するために、前記ユーザによって受信されたプッシュ情報をモニタすることが、
プッシュ情報が前記正常なラベルに基づいて生成される確率に従って、前記ユーザによって受信された前記プッシュ情報を傍受することと、
前記プッシュ情報が前記検出ラベルに基づいて生成される確率に従って、前記傍受したプッシュ情報をスクリーニングすることと
を含む、請求項１に記載のラベルデータ漏洩チャネル検出方法。
【請求項３】
プッシュ情報が前記正常なラベルに基づいて生成される確率に従って、前記ユーザによって受信された前記プッシュ情報を傍受することが、
前記プッシュ情報が前記正常なラベルに基づいて生成される前記確率が予め設定された閾値より低いことに応答して、傍受を実行すること
を含む、請求項２に記載のラベルデータ漏洩チャネル検出方法。
【請求項４】
チャネルインデックスにおいて、前記検出ラベルを、チャネルと、前記ユーザに関連付けられたユーザＩＤとに関連付けることが、
前記チャネルの挙動履歴に従って前記チャネルの信頼性値を決定することと、
前記チャネルの前記信頼性値に基づいてユーザグループをサンプリングすることと、
サンプリングを通じて得られた前記ユーザグループの各ユーザに対し、ハッシュ関数に従って前記ユーザの検出ラベルから１つの検出ラベルを選択することと、
前記選択された検出ラベルを、前記チャネルと、前記ユーザに関連付けられた前記ユーザＩＤとに関連付けることと
を含む、請求項１に記載のラベルデータ漏洩チャネル検出方法。
【請求項５】
ユーザの正常なラベルに基づいて前記ユーザの検出ラベルを追加することが、
前記ユーザの前記正常なラベルに基づいて前記検出ラベルを生成すること
を含み、前記検出ラベルが前記正常なラベルと同時に発生する確率は、予め定められた閾値より低い、請求項１に記載のラベルデータ漏洩チャネル検出方法。
【請求項６】
前記検出ラベルが前記ユーザの新しい正常なラベルと同時に発生する確率に基づいて、前記検出ラベルを削除することと、
前記ユーザの前記新しい正常なラベルに基づいて、前記ユーザの新しい検出ラベルを追加することと
をさらに含む、請求項１に記載のラベルデータ漏洩チャネル検出方法。
【請求項７】
前記削除した検出ラベルに関連付けられたアイテムを、前記チャネルインデックスから取り除くこと
をさらに含む、請求項６に記載のラベルデータ漏洩チャネル検出方法。
【請求項８】
ユーザラベルデータの漏洩チャネルを検出するためのラベルデータ漏洩チャネル検出装置であって、
命令のセットを記憶するメモリと、
プロセッサと
を含み、前記プロセッサは、前記命令のセットを実行して、前記ラベルデータ漏洩チャネル検出装置に、
ユーザの正常なラベルに基づいて前記ユーザの検出ラベルを追加することと、
チャネルインデックスにおいて、前記検出ラベルを、チャネルと、前記ユーザに関連付けられたユーザＩＤとに関連付けることと、
前記検出ラベルに起因するプッシュ情報を識別するために、前記ユーザによって受信されたプッシュ情報をモニタすることと、
前記検出ラベルに起因するプッシュ情報が識別された場合、前記チャネルインデックスに従って、前記プッシュ情報が、前記検出ラベルとの関連性を有するチャネルからのものかどうかを検出することと、
前記プッシュ情報が前記検出ラベルとの関連性を有する前記チャネルからのものである場合、前記検出ラベルとの前記関連性を有する前記チャネルが適法であることを示し、前記関連性を有する前記チャネルと異なる他のチャネルを、漏洩疑いチャネルとして識別することと
を実行させるように構成される、装置。
【請求項９】
前記プロセッサが、前記命令のセットを実行して、前記ラベルデータ漏洩チャネル検出装置に、
プッシュ情報が前記正常なラベルに基づいて生成される確率に従って、前記ユーザによって受信された前記プッシュ情報を傍受することと、
前記プッシュ情報が前記検出ラベルに基づいて生成される確率に従って、前記傍受したプッシュ情報をスクリーニングすることと
を実行させるようにさらに構成される、請求項８に記載のラベルデータ漏洩チャネル検出装置。
【請求項１０】
プッシュ情報が前記正常なラベルに基づいて生成される確率に従って、前記ユーザによって受信された前記プッシュ情報を傍受するとき、前記プロセッサが、前記命令のセットを実行して、前記ラベルデータ漏洩チャネル検出装置に、
前記プッシュ情報が前記正常なラベルに基づいて生成される前記確率が予め設定された閾値より低い場合、傍受を実行すること
を実行させるようにさらに構成される、請求項９に記載のラベルデータ漏洩チャネル検出装置。
【請求項１１】
チャネルインデックスにおいて、前記検出ラベルを、チャネルと、前記ユーザに関連付けられたユーザＩＤとに関連付けるとき、前記プロセッサが、前記命令のセットを実行して、前記ラベルデータ漏洩チャネル検出装置に、
前記チャネルの挙動履歴に従って前記チャネルの信頼性値を決定することと、
前記チャネルの前記信頼性値に基づいてユーザグループをサンプリングすることと、
サンプリングを通じて得られた前記ユーザグループの各ユーザに対し、ハッシュ関数に従って前記ユーザの検出ラベルから１つの検出ラベルを選択することと、
前記選択された検出ラベルを、前記チャネルと、前記ユーザに関連付けられた前記ユーザＩＤとに関連付けることと
を実行させるようにさらに構成される、請求項８に記載のラベルデータ漏洩チャネル検出装置。
【請求項１２】
ユーザの正常なラベルに基づいて前記ユーザの検出ラベルを追加するとき、前記プロセッサが、前記命令のセットを実行して、前記ラベルデータ漏洩チャネル検出装置に、
前記ユーザの前記正常なラベルに基づいて前記検出ラベルを生成すること
を実行させるようにさらに構成され、前記検出ラベルが前記正常なラベルと同時に発生する確率は、予め定められた閾値より低い、請求項８に記載のラベルデータ漏洩チャネル検出装置。
【請求項１３】
前記プロセッサが、前記命令のセットを実行して、前記ラベルデータ漏洩チャネル検出装置に、
前記検出ラベルが前記ユーザの新しい正常なラベルと同時に発生する確率に基づいて、前記検出ラベルを削除することと、
前記ユーザの前記新しい正常なラベルに基づいて、前記ユーザの新しい検出ラベルを追加することと
を実行させるようにさらに構成される、請求項８に記載のラベルデータ漏洩チャネル検出装置。
【請求項１４】
前記プロセッサが、前記命令のセットを実行して、前記ラベルデータ漏洩チャネル検出装置に、
前記削除した検出ラベルに関連付けられたアイテムを、前記チャネルインデックスから取り除くこと
を実行させるようにさらに構成される、請求項１３に記載のラベルデータ漏洩チャネル検出装置。
【請求項１５】
命令のセットを記憶する非一時的コンピュータ可読媒体であって、前記命令のセットは、ラベルデータ漏洩チャネル検出装置にラベルデータ漏洩チャネル検出方法を実行させるように、前記装置の少なくとも１つのプロセッサによって実行可能であり、前記方法は、
ユーザの正常なラベルに基づいて前記ユーザの検出ラベルを追加することと、
チャネルインデックスにおいて、前記検出ラベルを、チャネルと、前記ユーザに関連付けられたユーザＩＤとに関連付けることと、
前記検出ラベルに起因するプッシュ情報を識別するために、前記ユーザによって受信されたプッシュ情報をモニタすることと、
前記検出ラベルに起因するプッシュ情報が識別された場合、前記チャネルインデックスに従って、前記プッシュ情報が、前記検出ラベルとの関連性を有するチャネルからのものかどうかを検出することと、
前記プッシュ情報が前記検出ラベルとの関連性を有する前記チャネルからのものである場合、前記検出ラベルとの前記関連性を有する前記チャネルが適法であることを示し、前記関連性を有する前記チャネルと異なる他のチャネルを、漏洩疑いチャネルとして識別することと
を含む、非一時的コンピュータ可読媒体。
【請求項１６】
前記検出ラベルに起因するプッシュ情報を識別するために、前記ユーザによって受信されたプッシュ情報をモニタすることが、
プッシュ情報が前記正常なラベルに基づいて生成される確率に従って、前記ユーザによって受信された前記プッシュ情報を傍受することと、
前記プッシュ情報が前記検出ラベルに基づいて生成される確率に従って、前記傍受したプッシュ情報をスクリーニングすることと
を含む、請求項１５に記載の非一時的コンピュータ可読媒体。
【請求項１７】
プッシュ情報が前記正常なラベルに基づいて生成される確率に従って、前記ユーザによって受信された前記プッシュ情報を傍受することが、
前記プッシュ情報が前記正常なラベルに基づいて生成される前記確率が予め設定された閾値より低い場合、傍受を実行すること
を含む、請求項１６に記載の非一時的コンピュータ可読媒体。
【請求項１８】
チャネルインデックスにおいて、前記検出ラベルを、チャネルと、前記ユーザに関連付けられたユーザＩＤとに関連付けることが、
前記チャネルの挙動履歴に従って前記チャネルの信頼性値を決定することと、
前記チャネルの前記信頼性値に基づいてユーザグループをサンプリングすることと、
サンプリングを通じて得られた前記ユーザグループの各ユーザに対し、ハッシュ関数に従って前記ユーザの検出ラベルから１つの検出ラベルを選択することと、
前記選択された検出ラベルを、前記チャネルと、前記ユーザに関連付けられた前記ユーザＩＤとに関連付けることと
を含む、請求項１５に記載の非一時的コンピュータ可読媒体。
【請求項１９】
ユーザの正常なラベルに基づいて前記ユーザの検出ラベルを追加することが、
前記ユーザの前記正常なラベルに基づいて前記検出ラベルを生成すること
を含み、前記検出ラベルが前記正常なラベルと同時に発生する確率は、予め定められた閾値より低い、請求項１５に記載の非一時的コンピュータ可読媒体。
【請求項２０】
前記ラベルデータ漏洩チャネル検出装置の前記少なくとも１つのプロセッサによって実行可能な前記命令のセットが、前記装置に、
前記検出ラベルが前記ユーザの新しい正常なラベルと同時に発生する確率に基づいて、前記検出ラベルを削除することと、
前記ユーザの前記新しい正常なラベルに基づいて、前記ユーザの新しい検出ラベルを追加することと
をさらに実行させる、請求項１５に記載の非一時的コンピュータ可読媒体。
【請求項２１】
前記ラベルデータ漏洩チャネル検出装置の前記少なくとも１つのプロセッサによって実行可能な前記命令のセットが、前記装置に、
前記削除した検出ラベルに関連付けられたアイテムを、前記チャネルインデックスから取り除くこと
をさらに実行させる、請求項２０に記載の非一時的コンピュータ可読媒体。